(57)【特許請求の範囲】
【請求項１】
無線ＬＡＮ通信端末が、無線ＬＡＮを経由して、ネットワークに接続されたサーバにアクセスして確立された接続を前記サーバにより切断する無線ＬＡＮ接続切断方法において、
前記サーバが、
無線ＬＡＮ通信端末がネットワークへログインした場合に、ログオフ情報を含む応答信号を無線ＬＡＮ通信端末へ送信するステップと、
前記無線ＬＡＮ通信端末が、
前記応答信号を受信するステップと、
前記応答信号に含まれるログオフ情報を記憶する記憶ステップと、
ログオフする条件を満たすか否かを判定するステップと、
ログオフする条件を満たす場合に、前記記憶ステップで記憶されたログオフ情報を含む信号を前記サーバへ送信するステップと、
前記サーバが、
前記ステップにより送信されたログオフ情報を含む信号を受信するステップと、
前記ログオフ情報を含む信号を受信した場合に、接続を切断するステップと
を有することを特徴とする無線ＬＡＮ接続切断方法。
【請求項２】
外部にアクセスすることで、無線ＬＡＮを経由してネットワークに接続され、確立された接続を外部から切断されるように構成されている無線ＬＡＮ通信端末において、
ネットワークへログインした場合に、外部から送信されてくるログオフ情報を含む応答信号を受信する手段と、
前記応答信号に含まれるログオフ情報を記憶する記憶手段と、
ログオフする条件を満たすか否かを判定する手段と、
ログオフする条件を満たす場合に、前記記憶手段に記憶されたログオフ情報を含む信号を外部へ送信する送信手段と
を備えることを特徴とする無線ＬＡＮ通信端末。
【請求項３】
ログオフする条件を満たす場合に、接続を終了させるか否かという指示を取得する手段をさらに備えており、
接続を終了させるという指示を取得した場合に、前記送信手段により前記記憶手段に記憶されたログオフ情報を含む信号を外部端末へ送信するように構成されている、請求項２に記載の無線ＬＡＮ通信端末。
【請求項４】
接続の確立に伴い起動するアプリケーションプログラムを記憶する手段をさらに備えており、
前記条件は、前記アプリケーションプログラムが所定の処理を終了した場合である、請求項２又は３に記載の無線ＬＡＮ通信端末。
【請求項５】
接続の確立時に、ユーザの操作指示を取得して、ネットワークを通じて処理を行うアプリケーションプログラムを記憶する手段をさらに備えており、
前記条件は、接続の確立状態で起動させていた前記アプリケーションプログラムを終了させるという指示を取得した場合である、請求項２又は３に記載の無線ＬＡＮ通信端末。
【請求項６】
前記条件は、電源をオフにするという指示を取得した場合である、請求項２に記載の無線ＬＡＮ通信端末。
【請求項７】
外部端末を、無線ＬＡＮを経由してネットワークに接続させ、確立された接続を切断するように構成されているサーバにおいて、
前記外部端末のネットワークへのログインに応じて、前記外部端末に記憶させるログオフ情報を含む応答信号を外部端末へ送信する手段と、
前記外部端末から前記ログオフ情報を含む信号を受信する手段と、
該手段が前記ログオフ情報を含む信号を受信した場合に、接続を切断する手段と
を備えており、
前記応答信号は、前記外部端末のログオフ条件に応じて前記ログオフ情報を含む信号を外部端末から自動的に送信させる内容を規定した情報を含んでいることを特徴とするサーバ。
【請求項８】
無線ＬＡＮ通信端末を、無線ＬＡＮを経由してネットワークに接続されたサーバにアクセスさせ、アクセスにより確立された接続を前記サーバにより切断されるように構成されている無線ＬＡＮ通信システムにおいて、
前記サーバは、
前記無線ＬＡＮ通信端末のネットワークへのログインに応じて、ログオフ情報を含む応答信号を無線ＬＡＮ通信端末へ送信する手段と、
前記無線ＬＡＮ通信端末から前記ログオフ情報を含む信号を受信する手段と、
前記無線ＬＡＮ通信端末から前記ログオフ情報を含む信号を受信した場合に、接続を切断する手段と
を備えており、
前記無線ＬＡＮ通信端末は、
前記応答信号を受信する手段と、
前記応答信号に含まれるログオフ情報を記憶する記憶手段と、
ログオフする条件を満たすか否かを判定する手段と、
ログオフする条件を満たす場合に、前記記憶手段に記憶されたログオフ情報を含む信号を前記サーバへ送信する手段と
を備えることを特徴とする無線ＬＡＮ通信システム。
【請求項９】
無線ＬＡＮ通信手段を備えるコンピュータに、無線ＬＡＮを経由してネットワークに接続されたサーバにアクセスさせ、アクセスにより確立された接続を前記サーバにより切断させるコンピュータプログラムであって、
前記無線ＬＡＮ通信手段によりネットワークへログインした場合に、コンピュータに、サーバより送信される、ログオフ情報を含む応答信号を受信させる手順と、
コンピュータに、前記応答信号に含まれるログオフ情報を記憶させる記憶手順と、
コンピュータに、ログオフする条件を満たすか否かを判定させる手順と、
ログオフする条件を満たす場合に、コンピュータに、前記記憶手順で記憶されたログオフ情報を含む信号を無線ＬＡＮ通信手段からサーバへ送信させる手順と
を有することを特徴とするコンピュータプログラム。
【発明の詳細な説明】
【技術分野】
【０００１】
本発明は、無線ＬＡＮ通信端末が、無線ＬＡＮを経由して、ネットワークに接続されたサーバにアクセスして確立された接続をサーバにより切断する無線ＬＡＮ接続切断方法、無線ＬＡＮ通信端末、サーバ、無線ＬＡＮ通信システム及びコンピュータプログラムに関する。
【背景技術】
【０００２】
無線ＬＡＮ通信端末が、無線ＬＡＮを経由してネットワークに接続されたサーバにアクセスして確立された接続は、サーバにより切断されるように構成されている。無線ＬＡＮの接続は、一度接続が確立されると、接続が中断された場合であっても、しばらくの間、接続を持続させるように構成されている。これは安定接続をするために重要なことである。
【発明の開示】
【発明が解決しようとする課題】
【０００３】
ここで、ユーザが通信事業者と従量制で契約している場合（例えば分単位の課金）、例えばＰＣでブラウザを閉じたことでユーザがログオフ（接続の終了）したと思っているときであっても、実際には課金対象となっているときがあり、これは、通信事業者との契約書で注意書きされていることが多い。
【０００４】
このログオフの処理は、ログオフ専用のＵＲＬへリンクすることで、サーバ側がセッションの切断を行うものであるが、このＵＲＬは、通信事業者によりユーザへ、ＵＲＬのテキスト情報や、ポップアップウィンドウに表示したＨＴＭＬの中のリンク情報として提示される。
【０００５】
ポップアップ式の場合、ログインすると、メイン画面のほかに、ＨＴＭＬが送付されてくる。図４は、このＨＴＭＬを示す図である。この記述では、「ＬＯＧＯＵＴ」というボタンが表示されており、接続を終了したい場合にはこれをクリックすることで、「111.222.111.222:8080/goform/HtmlLogout」というＣＧＩ(Common Gateway Interface)に、「logoutsession」という名前が送信される。これを受信したサーバは、送信した無線ＬＡＮ通信端末の接続を切断する。ここでクリックする前にウィンドウを閉じたりすると、ユーザは切断する手段を失ってしまう。従って、従来の接続切断方法では、テキスト情報を見損ねたり、ポップアップウィンドウを閉じてしまったり、又はそれをクリックすることを忘れた場合に、接続が継続されて、無駄な課金が発生するという問題がある。
【０００６】
本発明は斯かる事情に鑑みてなされたものであり、自動的に、確実にログオフ処理が行われ、無駄な課金が発生するのが防止される、無線ＬＡＮ接続切断方法、無線ＬＡＮ通信端末、サーバ、無線ＬＡＮ通信システム及びコンピュータプログラムを提供することを目的とする。
【０００７】
また、本発明は、接続を終了させるという指示を取得した場合に、記憶されたログオフ情報を含む信号をサーバへ送信するように構成することにより、所定のアプリケーションプログラムを終了させて、他のアプリケーションプログラムを起動させたいとき等においては、接続を保持させることが出来る無線ＬＡＮ通信端末を提供することを目的とする。
【０００８】
そして、本発明は、所定のアプリケーションプログラムが自動的に終了する場合、ユーザの指示により所定のアプリケーションプログラムを終了させる場合、電源をオフにする場合等のログオフが必要な状況において、ユーザが意図しなくても、自動的に、確実にログオフ処理が行われ得る無線ＬＡＮ通信端末を提供することを目的とする。
【課題を解決するための手段】
【０００９】
本発明に係る無線ＬＡＮ接続切断方法は、無線ＬＡＮ通信端末が、無線ＬＡＮを経由してネットワークに接続されたサーバにアクセスして確立された接続を前記サーバにより切断する無線ＬＡＮ接続切断方法において、前記サーバが、無線ＬＡＮ通信端末がネットワークへログインした場合に、ログオフ情報を含む応答信号を無線ＬＡＮ通信端末へ送信するステップと、前記無線ＬＡＮ通信端末が、前記応答信号を受信するステップと、前記応答信号に含まれるログオフ情報を記憶する記憶ステップと、ログオフする条件を満たすか否かを判定するステップと、ログオフする条件を満たす場合に、前記記憶ステップで記憶されたログオフ情報を含む信号を前記サーバへ送信するステップと、前記サーバが、前記ステップにより送信されたログオフ情報を含む信号を受信するステップと、前記ログオフ情報を含む信号を受信した場合に、接続を切断するステップとを有することを特徴とする。
【００１０】
本発明に係る無線ＬＡＮ通信端末は、外部にアクセスすることで、無線ＬＡＮを経由してネットワークに接続され、確立された接続を外部から切断されるように構成されている無線ＬＡＮ通信端末において、ネットワークへログインした場合に、外部から送信されてくるログオフ情報を含む応答信号を受信する手段と、前記応答信号に含まれるログオフ情報を記憶する記憶手段と、ログオフする条件を満たすか否かを判定する手段と、ログオフする条件を満たす場合に、前記記憶手段に記憶されたログオフ情報を含む信号を外部へ送信する送信手段とを備えることを特徴とする。
【００１１】
本発明に係る無線ＬＡＮ通信端末は、ログオフする条件を満たす場合に、接続を終了させるか否かという指示を取得する手段をさらに備えており、接続を終了させるという指示を取得した場合に、前記送信手段により前記記憶手段に記憶されたログオフ情報を含む信号を外部端末へ送信するように構成されている。
【００１２】
本発明に係る無線ＬＡＮ通信端末は、接続の確立に伴い起動するアプリケーションプログラムを記憶する手段をさらに備えており、前記条件は、前記アプリケーションプログラムが所定の処理を終了した場合である。
【００１３】
本発明に係る無線ＬＡＮ通信端末は、接続の確立時に、ユーザの操作指示を取得して、ネットワークを通じて処理を行うアプリケーションプログラムを記憶する手段をさらに備えており、前記条件は、接続の確立状態で起動させていた前記アプリケーションプログラムを終了させるという指示を取得した場合である。
【００１４】
本発明に係る無線ＬＡＮ通信端末は、前記条件は、電源をオフにするという指示を取得した場合である。
【００１５】
本発明に係るサーバは、外部端末を、無線ＬＡＮを経由してネットワークに接続させ、確立された接続を切断するように構成されているサーバにおいて、前記外部端末のネットワークへのログインに応じて、前記外部端末に記憶させるログオフ情報を含む応答信号を外部端末へ送信する手段と、前記外部端末から前記ログオフ情報を含む信号を受信する手段と、該手段が前記ログオフ情報を含む信号を受信した場合に、接続を切断する手段とを備えており、前記応答信号は、前記外部端末のログオフ条件に応じて前記ログオフ情報を含む信号を外部端末から自動的に送信させる内容を規定した情報を含んでいることを特徴とする。
【００１６】
本発明に係る無線ＬＡＮ通信システムは、無線ＬＡＮ通信端末を、無線ＬＡＮを経由してネットワークに接続されたサーバにアクセスさせ、アクセスにより確立された接続を前記サーバにより切断されるように構成されている無線ＬＡＮ通信システムにおいて、前記サーバは、前記無線ＬＡＮ通信端末のネットワークへのログインに応じて、ログオフ情報を含む応答信号を無線ＬＡＮ通信端末へ送信する手段と、前記無線ＬＡＮ通信端末から前記ログオフ情報を含む信号を受信する手段と、前記無線ＬＡＮ通信端末から前記ログオフ情報を含む信号を受信した場合に、接続を切断する手段とを備えており、前記無線ＬＡＮ通信端末は、前記応答信号を受信する手段と、前記応答信号に含まれるログオフ情報を記憶する記憶手段と、ログオフする条件を満たすか否かを判定する手段と、ログオフする条件を満たす場合に、前記記憶手段に記憶されたログオフ情報を含む信号を前記サーバへ送信する手段とを備えることを特徴とする。
【００１７】
本発明に係るコンピュータプログラムは、無線ＬＡＮ通信手段を備えるコンピュータに、無線ＬＡＮを経由してネットワークに接続されたサーバにアクセスさせ、アクセスにより確立された接続を前記サーバにより切断させるコンピュータプログラムであって、前記無線ＬＡＮ通信手段によりネットワークへログインした場合に、コンピュータに、サーバより送信される、ログオフ情報を含む応答信号を受信させる手順と、コンピュータに、前記応答信号に含まれるログオフ情報を記憶させる記憶手順と、コンピュータに、ログオフする条件を満たすか否かを判定させる手順と、ログオフする条件を満たす場合に、コンピュータに、前記記憶手順で記憶されたログオフ情報を含む信号を無線ＬＡＮ通信手段からサーバへ送信させる手順とを有することを特徴とする。
【発明の効果】
【００１８】
本発明の無線ＬＡＮ接続切断方法によれば、ユーザが意図しなくても、自動的に、確実にログオフ処理が行われるので、無駄な課金が発生するのが防止される。
【００１９】
本発明の無線ＬＡＮ通信端末によれば、自動的に、確実にログオフ処理が行われるので、無駄な課金が発生するのが防止される。
【００２０】
本発明の無線ＬＡＮ通信端末が、接続を終了させるという指示を取得した場合に、送信手段により記憶手段に記憶されたログオフ情報を含む信号をサーバへ送信するように構成されているときは、所定のアプリケーションプログラムを終了させて、他のアプリケーションプログラムを起動させたいとき等に、接続を保持させることが出来る。
【００２１】
本発明の無線ＬＡＮ通信端末によれば、所定のアプリケーションプログラムが自動的に終了する場合、ユーザの指示により所定のアプリケーションプログラムを終了させる場合、電源をオフにする場合等のログオフが必要な状況において、ユーザが意図しなくても、自動的に、確実にログオフ処理が行われ得る。
【００２２】
本発明のサーバによれば、自動的に、確実にログオフ処理が行われるので、無駄な課金が発生するのが防止される。
【００２３】
本発明の無線ＬＡＮ通信システムによれば、自動的に、確実にログオフ処理が行われるので、無駄な課金が発生するのが防止される。
【００２４】
本発明のコンピュータプログラムによれば、自動的に、確実にログオフ処理が実行されるので、無駄な課金が発生するのが防止される。
【発明を実施するための最良の形態】
【００２５】
以下、本発明をその実施形態を示す図面に基づいて、具体的に説明する。
【００２６】
図１は、本発明の実施の形態の無線ＬＡＮ通信システムに係る無線ＬＡＮ通信端末１とサーバ４とを示すブロック図である。無線ＬＡＮ通信端末１は、制御部１１と、操作部１２と、ログオフ情報記憶部１３と、記憶部１４と、通信部１５とを備えている。無線ＬＡＮ通信端末１の各部は、コンピュータである制御部１１で制御される。
【００２７】
操作部１２は、操作パネル１２ａ及び液晶パネル１２ｂを備えており、制御部１１は、操作パネル１２ａから操作指示を受付けたり、液晶パネル１２ｂに通信情報や処理状況を表示することが可能である。ネットワーク接続が確立された場合、液晶パネル１２ｂにより、Ｗｅｂページを閲覧することが可能である。ログオフ情報記憶部１３には、サーバ４から受信した応答信号に含まれるログオフ情報が記憶される。記憶部１４には、後述するプログラム１４ａが記憶されている。通信部１５は、ログオフ情報受信部１５ａと、ログオフ情報送信部１５ｂとを備えている。
【００２８】
サーバ４は、ログオフ情報を含む信号を送信するログオフ情報送信部４ａと、ログオフ情報を含む信号を受信するログオフ情報受信部４ｂと、接続切断部４ｃとを備えている。
【００２９】
本実施の形態に係る無線ＬＡＮ通信システムにおいては、無線ＬＡＮ通信端末１が、アクセスポイント（ＡＰ）２を介し、無線ＬＡＮ３を経由してインターネット網５（ネットワーク）に接続されたサーバ４にアクセスして接続が確立された場合、サーバ４のログオフ情報送信部４ａからログオフ情報を含む応答信号が送信され、無線ＬＡＮ通信端末１のログオフ情報受信部１５ａで受信される。このログオフ情報は、ログオフ情報記憶部１３に記憶され、制御部１１により後述するログオフ条件を満たすと判断された場合、ログオフ情報送信部１５ｂからログオフ情報を含む信号がサーバ４へ送信され、ログオフ情報受信部４ｂで受信されて、接続切断部４ｃにより切断処理が実行されるように構成されている。
【００３０】
図２は、制御部１１の処理手順を示す、プログラム１４ａに係るフローチャートである。まず、制御部１１は、通信部１５のログオフ情報受信部１５ａが、無線ＬＡＮ通信端末１がネットワークにログインした場合に、サーバ４のログオフ情報送信部４ａが送信する、ログオフ情報を含む応答信号を受信したか否かを判定する（Ｓ１０）。前記信号を受信しなかった場合（Ｓ１０：ＮＯ）、処理をＳ１０へ戻す。
【００３１】
前記信号を受信した場合（Ｓ１０：ＹＥＳ）、ログオフ情報記憶部１３にログオフ情報が記憶される（Ｓ１２）。図３は、この応答時のＨＴＭＬを示す図である。このＨＴＭＬでは、＜logoffinfo＞というタグが拡張されており、ここに、ＣＧＩと名前とメソッドとが記述されている。無線ＬＡＮ通信端末１とサーバ４との間には、この記述に係るルールが規定されており、ログオフ情報記憶部１３にログオフ情報が記憶される。
【００３２】
次に、ログオフする条件を満たすか否かを判定する（Ｓ１４）。このログオフする条件として、アプリケーションの処理の終了と電源オフとがある。ログオフする条件を満たさない場合（Ｓ１４：ＮＯ）、処理をＳ１４へ戻す。ログオフする条件を満たす場合（Ｓ１４：ＹＥＳ）、前記条件が、アプリケーションの処理の終了であるか否かを判定する（Ｓ１６）。ここで、アプリケーションとして、Ｗｅｂブラウザ、サーバにメールのチェックをするメールソフト等が挙げられる。このアプリケーションプログラムの起動は、ネットワーク接続の確立に伴い、自動的に起動するものであってもよく、ユーザの指示により起動されるものであってもよい。従って、アプリケーションの処理は、自動的に終了するものであっても、ユーザがアプリケーションプログラムを終了させるという指示をした場合に終了されるものであってもよい。
【００３３】
前記条件が、アプリケーションの処理の終了ではない場合（Ｓ１６：ＮＯ）、処理をＳ２０へ進める。この場合、本実施形態においては、電源をオフにしたときであるので、当然に接続の切断処理が進められることになる。前記条件が、アプリケーションの処理の終了である場合（Ｓ１６：ＹＥＳ）、ユーザから接続を切断するという指示を取得したか否かを判定する（Ｓ１８）。この指示は、ユーザが操作パネル１２ａを用いて接続を切断するか否かを入力することにより行われる。
【００３４】
接続を切断しないと判定された場合（Ｓ１８：ＮＯ）、処理をＳ１４へ戻す。接続を切断すると判定された場合（Ｓ１８：ＹＥＳ）、ログオフ情報送信部１５ｂからログオフ情報を含む信号をサーバ４へ送信する（Ｓ２０）。図３のＨＴＭＬに記述された、「111.222.111.222:8080/goform/HtmlLogout」というＣＧＩに、「logoutsession」という名前が送信されることになる。
【００３５】
この送信信号をログオフ信号受信部４ｂで受信したサーバ４は、接続切断部４ｃにより、無線ＬＡＮ通信端末１のネットワークへの接続を切断する。
【００３６】
本実施の形態によれば、所定のアプリケーションプログラムが自動的に終了する場合、ユーザの指示により所定のアプリケーションプログラムを終了させる場合、電源をオフにする場合等のログオフが必要な状況において、ユーザが意図しなくても、自動的に、確実にログオフ処理が行われ得る。従って、無駄な課金が発生するのが防止される。
【００３７】
また、接続を終了させるという指示を取得した場合に、ログオフ情報をサーバ４へ送信するように構成されているので、所定のアプリケーションプログラムを終了させて、他のアプリケーションプログラムを起動させたいとき等においては、接続を保持させることが出来る。
【００３８】
なお、ログオフするための条件は、前記実施の形態において説明されたものに限定されるものではない。また、ログオフするための条件を満たすと判定された場合、ユーザから接続の指示を取得することなく、自動的に切断処理を進めることにしてもよい。そして、図２のフローチャートで示した手順により制御部１１に実行せしめるプログラム１４ａは、コンピュータに読み取り可能な記録媒体に格納されており、このコンピュータプログラムが記憶部１４に記憶されて、実行されるものであってもよい。
【図面の簡単な説明】
【００３９】
【図１】本発明の実施の形態の無線ＬＡＮ通信システムに係る無線ＬＡＮ通信端末とサーバとを示すブロック図である。
【図２】制御部の処理手順を示すフローチャートである。
【図３】ＨＴＭＬを示す図である。
【図４】ＨＴＭＬを示す図である。
【符号の説明】
【００４０】
１  無線ＬＡＮ通信端末
２  ＡＰ
３  無線ＬＡＮ
４  サーバ
４ａ  ログオフ情報送信部
４ｂ  ログオフ情報受信部
４ｃ  接続切断部
５  インターネット網
１１  制御部
１２  操作部
１２ａ  操作パネル
１２ｂ  液晶パネル
１３  ログオフ情報記憶部
１４  記憶部
１４ａ  プログラム
１５  通信部
１５ａ  ログオフ情報受信部
１５ｂ  ログオフ情報送信部
【図１】
0004530960.tif 000002
【図２】
0004530960.tif 000003
【図３】
0004530960.tif 000004
【図４】
0004530960.tif 000005